(57)【要約】【課題】気体室内へのガスの封入と、雰囲気温度が一定温度以上に上昇した際に、気体室内のガスを大気側に逃す安全弁とを一つのガスバルブで機能させることにより、構造がコンパクトで費用が安価なガスバルブを備えたアキュムレータを提供する。【解決手段】シェル、前記シェル内に配置され、前記シェルを気体室と液体室とに仕切っているブラダ、前記シェルに保持され前記気体室に気体を封入するためのガスバルブとよりなるアキュムレータにおいて、ピストンロッドをバネ手段に抗して一定量気体室側へ押し込むことにより、密封手段のシールが解除され、大気側と気体室側とが連通してガスが気体室内に封入出来る状態になると共に、雰囲気温度が一定以上上昇すると、ストッパ手段の一部が変位して前記ピストンロッドを大気側に一定量移動させることにより、前記密封手段のシールが解除されて、気体室内のガスを大気側に放出可能とした構成としている。【選択図】  図１
0003131593.tif 000002
【実用新案登録請求の範囲】
【請求項１】
シェル（１）、前記シェル（１）内に配置され、前記シェル（１）を気体室と液体室とに仕切っているブラダ、前記シェル（１）に保持され前記気体室に気体を封入するためのガスバルブ（２）とよりなるアキュムレータにおいて、前記ガスバルブ（２）が、前記気体室と大気側とを連通する連通路（３１）を備え、前記シェル（１）に保持されているバルブボディ（３）と、前記連通路（３１）内を往復動可能に配置されているピストンロッド（４）と、前記ピストンロッド（４）外周面と前記連通路（３１）との間隙をシールしている密封手段（５）と、前記ピストンロッド（４）を大気側に押圧しているバネ手段（６）と、前記ピストンロッド（４）が大気側に移動することを阻止するストッパ手段（７）とよりなり、前記ピストンロッド（４）を前記バネ手段（６）に抗して一定量気体室側へ押し込むことにより、前記密封手段（５）のシールが解除され、大気側と気体室側とが連通してガスが前記気体室内に封入出来る状態になると共に、雰囲気温度が一定以上上昇すると、前記ストッパ手段（７）の一部が変位して前記ピストンロッド（４）を大気側に一定量移動させることにより、前記密封手段（５）のシールが解除されて、気体室内のガスを大気側に放出可能としたことを特徴とするアキュムレータ。
【請求項２】
前記ピストンロッド（４）の外周面は、前記密封手段（５）が存在する領域から大気側に向って先細りとなる円錐台形状であると共に、気体室側に小径段部（４１）が設けられていることを特徴とする請求項１記載のアキュムレータ。
【請求項３】
前記ピストンロッド（４）の大気側端部には、押込み用突起（４２）が設けられていることを特徴とする請求項１または２記載のアキュムレータ。
【請求項４】
前記ストッパ手段（７）が、前記ピストンロッド（４）の大気側端部（４３）と係合しているピストンロッドカバー（７１）と、止め輪（７２）により大気側への移動を阻止されているフロントカバー（７３）と、前記ピストンロッドカバー（７１）と前記フロントカバー（７３）との間に配置されたヒューズメタル（７４）とよりなることを特徴とする請求項１乃至３記載のアキュムレータ。
【請求項５】
前記バネ手段（６）が前記連通路（３）に設けた段部（３２）と前記ピストンロッド（４）の前記小径段部（４１）との間で保持されていることを特徴とする請求項１乃至４記載のアキュムレータ。
【請求項６】
前記バネ手段（６）が気体室側から前記連通路（３）内に挿入したカラー（３３）と前記ピストンロッド（４）の前記小径段部（４１）との間で保持されていることを特徴とする請求項１乃至５記載のアキュムレータ。
【考案の詳細な説明】
【技術分野】
【０００１】
本考案は、アキュムレータに関する。
また、本考案は、気体室内へのガスの封入と、雰囲気温度が一定温度以上に上昇した際に、気体室内のガスを大気側に逃す安全弁とを一つのガスバルブで機能するようにしたアキュムレータに関する。
【背景技術】
【０００２】
従来、高圧ガスを封入したタンクの安全弁としては、特開２００１−３１７６４５号公報に記載のものが知られている。
タンク内の温度上昇に伴う内圧の上昇による破裂を防止するために、タンクに安全弁が取り付けられている。
この安全弁は、雰囲気温度が上昇すると溶栓が溶けて、弁が開放される構造となっている。
【０００３】
しかし、この種安全弁は、タンク内にガスを封入するための弁体を別に設けなければならず、ガスバルブ全体の構造が複雑となり、費用も嵩む欠点を有していた。
特に、自動車等の移動体に使用する場合は、収納スペースが限られているため、構成部品はコンパクトに構成されることが望まれた。
【０００４】
【特許文献１】特開２００１−３１７６４５号公報
【考案の開示】
【考案が解決しようとする課題】
【０００５】
本考案は、気体室内へのガスの封入と、雰囲気温度が一定温度以上に上昇した際に、気体室内のガスを大気側に逃す安全弁とを一つのガスバルブで機能させることにより、構造がコンパクトで費用が安価なガスバルブを備えたアキュムレータを提供することを目的とする。
【課題を解決するための手段】
【０００６】
本考案のアキュムレータは、シェル、前記シェル内に配置され、前記シェルを気体室と液体室とに仕切っているブラダ、前記シェルに保持され前記気体室に気体を封入するためのガスバルブとよりなるアキュムレータにおいて、前記ガスバルブが、前記気体室と大気側とを連通する連通路を備え、前記シェルに保持されているバルブボディと、前記連通路内を往復動可能に配置されているピストンロッドと、前記ピストンロッド外周面と前記連通路との間隙をシールしている密封手段と、前記ピストンロッドを大気側に押圧しているバネ手段と、前記ピストンロッドが大気側に移動することを阻止するストッパ手段とよりなり、前記ピストンロッドを前記バネ手段に抗して一定量気体室側へ押し込むことにより、前記密封手段のシールが解除され、大気側と気体室側とが連通してガスが前記気体室内に封入出来る状態になると共に、雰囲気温度が一定以上上昇すると、前記ストッパ手段の一部が変位して前記ピストンロッドを大気側に一定量移動させることにより、前記密封手段のシールが解除されて、気体室内のガスを大気側に放出可能とした構成としている。
【考案の効果】
【０００７】
本考案は、以下に記載されるような効果を奏する。
請求項１記載の考案のアキュムレータによれば、気体室内へのガスの封入と、雰囲気温度が一定温度以上に上昇した際に、気体室内のガスを大気側に逃す安全弁とを一つのガスバルブで機能させることにより、構造がコンパクトで費用が安価なガスバルブを備えたアキュムレータを提供することができる。
【０００８】
また、請求項２記載の考案のアキュムレータによれば、ガスの封入が繰り返し行われても、密封手段を損傷することが無く、ガスの大気側への放出を急速に行うことが可能である。
【０００９】
更に、請求項３記載の考案のアキュムレータによれば、特別の治具を用いることなく、簡単にガスの封入が出来る。
【００１０】
更に又、請求項４記載の考案のアキュムレータによれば、所定温度で精度よくガスバルブを作動させることが出来る。
【００１１】
更に、請求項５記載の考案のアキュムレータによれば、ガスの大気側への放出を確実に行うことが出来る。
【００１２】
更に、請求項６記載の考案のアキュムレータによれば、ガスバルブの組み付けがより容易に行うことが可能である。
【考案を実施するための最良の形態】
【００１３】
以下、本考案を実施するための最良の形態について、図面に基づき説明する。
図１は、本考案に係るガスバルブをアキュムレータに取り付けた部分断面図であり、図２は図１に示したアキュムレータが雰囲気温度の上昇により作動して、気体室内のガスを大気側に放出した態様を示した図であり、図３は本考案に係る他のガスバルブを示した断面図であり、図４は図３のガスバルブをアキュムレータに取り付けた状態を示した部分断面図である。
【００１４】
本考案に係るアキュムレータは、円筒状若しくは球状を呈する、金属材製若しくは樹脂材製のシェル１内に、ゴム状弾性材製若しくは金属材製のブラダ（図示せず）が配置されている。
【００１５】
そして、このブラダにより、シェル１内は、気体室と液体室とに仕切られている。
シェル１の軸方向一端には、気体室へ気体を導入するガスバルブ２が配置されている。
また、シェル１の軸方向他端には、液体室へ液体を導入する液体導入孔（図示せず）が設けられている。
前記ガスバルブ２は、気体室と大気側とを連通する連通路３１を備えており、シェル１に保持されているバルブボディ３と、この連通路３１内を往復動可能に配置されているピストンロッド４と、このピストンロッド４外周面と連通路３１との間隙をシールしている密封手段５と、ピストンロッド４を大気側に押圧しているバネ手段６と、ピストンロッド４が大気側に移動することを阻止するストッパ手段７とを備えている。
【００１６】
そして、ピストンロッド４は、バネ手段６に抗して一定量気体室側へ押し込まれると、密封手段５のシールが解除され、大気側と気体室側とが連通してガスが気体室内に封入出来る状態になる。
また、雰囲気温度が一定以上上昇すると、ストッパ手段７の一部が変位してピストンロッド４が大気側に一定量移動する。
このことにより、密封手段５のシールが解除されて、気体室内のガスは、大気側に放出される。
【００１７】
ピストンロッド４の外周面は、密封手段５が存在する領域から大気側に向って先細りとなる円錐台形状である。
このことにより、気体室内にガスを封入する際のピストンロッド４の移動が、密封手段５を損傷することなく円滑に行える。
密封手段５は、通常ゴム状弾性材製の０リングが使用される。
また、気体室側には小径段部４１が設けられている。
このことにより、ピストンロッド４が、大気側に一定量移動することにより、気体室内のガスがスムースに大気側に放出出来る。
【００１８】
更に、ピストンロッド４の大気側端部には、押込み用突起４２が設けられている。
このことにより、特別の治具を使用せず、ガスを気体室に封入できる。
更にまた、ストッパ手段７は、ピストンロッド４の大気側端部４３と係合しているピストンロッドカバー７１と、止め輪７２により大気側への移動を阻止されているフロントカバー７３と、ピストンロッドカバー７１とフロントカバー７３との間に配置されたヒューズメタル７４とより構成されている。
このため、所定温度以上になると、図２に示す様に、ヒューズメタル７４が溶解して、ピストンロッド４がピストンロッドカバー７１と共に大気側に移動する。
この結果、密封手段５とピストンロッド４外周面とのシールがとかれ、気体室内のガスが大気に開放され、シェル１の損傷を回避できる。
【００１９】
また、バネ手段６は、連通路３に設けた段部３２とピストンロッド４の小径段部４１との間で保持されている。
【００２０】
本考案に係る他の実施例を図３に基づき説明する。
図１の実施例と相違する点は、バネ手段６が気体室側から連通路３内に挿入したカラー３３とピストンロッド４の小径段部４１との間で保持されている点のみである。
このことにより、ピストンロッド４を図上下方から挿入出来る為、密封手段５に損傷を与えることなく組立てることが出来る。
そして、図４は、図３に示したガスバルブ２をアキュムレータのシェル１側に取り付けた状態を示したものである。
【００２１】
また、本考案は上述の考案を実施するための最良の形態に限らず本考案の要旨を逸脱することなくその他種々の構成を採り得ることはもちろんである。
【図面の簡単な説明】
【００２２】
【図１】本考案に係るガスバルブをアキュムレータに取り付けた部分断面図。
【図２】図１に示したアキュムレータが雰囲気温度の上昇により作動して、気体室内のガスを大気側に放出した態様を示した図。
【図３】本考案に係る他のガスバルブを示した断面図。
【図４】図３のガスバルブをアキュムレータに取り付けた状態を示した部分断面図。
【符号の説明】
【００２３】
１‥‥シェル
２‥‥ガスバルブ
３‥‥バルブボディ
４‥‥ピストンロッド
５‥‥密封手段
６‥‥バネ手段
７‥‥ストッパ手段
７１‥‥ピストンロッドカバー
７２‥‥止め輪
７３‥‥フロントカバー
７４‥‥ヒューズメタル
【図１】
0003131593.tif 000003
【図２】
0003131593.tif 000004
【図３】
0003131593.tif 000005
【図４】
0003131593.tif 000006